(57)【要約】【課題】ある種類の放送信号に対応した番組推薦情報を活用して他の種類の放送信号によって放送されている放送番組データの録画予約を実行する。【解決手段】番組ランキング情報によって示される番組リストの中からユーザによって録画対象のアナログ放送番組が選択されると、ＴＶアプリケーションプログラム１０１は、マップ情報３０１を参照することにより、選択されたアナログ放送番組のチャンネル情報を、当該選択されたアナログ放送番組のサイマル放送を行っているデジタル放送のチャンネルを示すチャンネル情報に自動的に変換する。そして、ＴＶアプリケーションプログラム１０１は、変換によって得られたデジタル放送信号のチャンネル情報と選択されたアナログ放送番組の放送時間を用いて、デジタル放送信号によって放送されている、選択されたアナログ放送番組に対応するサイマル放送番組の録画を予約する。【選択図】      図３
2008035237.tif 000002
【特許請求の範囲】
【請求項１】
視聴者に推薦する、第１の種類の放送信号によって放送される放送番組のリストを示す番組推薦情報を、ネットワークを介して外部のサーバから取得する番組推薦情報取得手段と、
前記第１の種類の放送信号のチャンネルそれぞれとこれらチャンネルのサイマル放送を行っている第２の種類の放送信号のチャンネルそれぞれとの関係を示すマッピング情報を記憶するマッピング情報記憶部と、
前記番組推薦情報によって示される放送番組のリストの中から録画対象の放送番組が選択された場合、前記マッピング情報を参照して、前記選択された放送番組に対応するサイマル放送番組を放送している前記第２の種類の放送信号のチャンネルを示すチャンネル情報を決定するチャンネル情報決定手段と、
前記決定されたチャンネル情報と前記選択された放送番組の放送時間とに基づいて、前記第２の種類の放送信号によって放送される前記サイマル放送番組の録画を予約する録画予約手段と、
前記録画予約された前記サイマル放送番組の録画を実行する録画手段とを具備することを特徴とする録画装置。
【請求項２】
前記番組推薦情報は、複数の視聴者それぞれから送信される、前記第１の種類の放送信号によって放送される放送番組に関する録画予約状況を前記サーバが集計することによって得られる番組ランキング情報であることを特徴とする請求項１記載の録画装置。
【請求項３】
前記第１の種類の放送信号はアナログ放送信号であり、前記第２の種類の放送信号はデジタル放送信号であることを特徴とする請求項１記載の録画装置。
【請求項４】
前記録画予約手段は、前記決定されたチャンネル情報と前記選択された放送番組の放送時間とに基づいて、前記第２の種類の放送信号によってそれぞれ放送される放送番組に関する電子番組ガイド情報を検索して前記選択された放送番組に対応するサイマル放送番組の番組情報を取得する処理と、前記取得された番組情報を用いて、前記選択された放送番組に対応するサイマル放送番組の録画を予約する処理とを実行することを特徴とする請求項１記載の録画装置。
【請求項５】
アナログ放送信号を受信する第１のチューナ部と、
前記アナログ放送信号によって放送される各放送番組のサイマル放送を行うデジタル放送信号を受信する第２のチューナ部と、
視聴者に推薦する、前記アナログ放送信号によって放送される放送番組のリストを示す番組推薦情報をネットワークを介して外部のサーバから取得する番組推薦情報取得手段と、
前記アナログ放送信号のチャンネルそれぞれとこれらチャンネルのサイマル放送を行っている前記デジタル放送のチャンネルそれぞれとの関係を示すマッピング情報を記憶するマッピング情報記憶部と、
前記番組推薦情報によって示される放送番組のリストの中から録画対象の放送番組がユーザによって選択された場合、前記アナログ放送信号によって放送される前記選択された放送番組を録画する第１モードおよび前記デジタル放送信号によって放送される前記選択された放送番組に対応するサイマル放送番組を録画する第２モードの一方をユーザに選択させる手段と、
前記第１モードが選択された場合、前記アナログ放送によって放送される前記選択された放送番組の録画を予約する手段と、
前記第２モードが選択された場合、前記マッピング情報を参照して、前記サイマル放送番組を放送する前記デジタル放送信号のチャンネルを示すチャンネル情報を決定するチャンネル情報決定処理と、前記決定されたチャンネル情報と前記選択された放送番組の放送時間とに基づいて、前記サイマル放送番組の録画を予約する録画予約処理とを実行する手段と、
前記アナログ放送信号によって放送される前記選択された放送番組の録画が予約された場合、前記第１のチューナ部を用いて前記選択された放送番組の録画を実行し、前記デジタル放送信号によって放送される前記サイマル放送番組の録画が予約された場合、前記第２のチューナ部を用いて前記サイマル放送番組の録画を実行する手段とを具備することを特徴とする録画装置。
【請求項６】
前記番組推薦情報は、複数の視聴者それぞれから送信される、前記アナログ放送信号によって放送される放送番組に関する録画予約状況を前記サーバが集計することによって得られる番組ランキング情報であることを特徴とする請求項５記載の録画装置。
【請求項７】
前記録画予約処理は、前記決定されたチャンネル情報と前記選択された放送番組の放送時間とに基づいて、前記デジタル放送信号によってそれぞれ放送される放送番組に関する電子番組ガイド情報を検索して、前記サイマル放送番組の番組情報を取得する処理と、前記取得された番組情報を用いて、前記サイマル放送番組の録画を予約する処理とを含むことを特徴とする請求項５記載の録画装置。
【請求項８】
録画装置によって実行される録画処理を制御する録画制御方法であって、
視聴者に推薦する、第１の種類の放送信号によって放送される放送番組のリストを示す番組推薦情報をネットワークを介して外部のサーバから取得する番組推薦情報取得ステップと、
前記番組推薦情報によって示される放送番組のリストの中から録画対象の放送番組が選択された場合、前記第１の種類の放送信号のチャンネルそれぞれとこれらチャンネルのサイマル放送を行っている第２の種類の放送信号のチャンネルそれぞれとの関係を示すマッピング情報を参照して、前記選択された放送番組に対応するサイマル放送番組を放送している前記第２の種類の放送信号のチャンネルを示すチャンネル情報を決定するチャンネル情報決定ステップと、
前記決定されたチャンネル情報と前記選択された放送番組の放送時間とに基づいて、前記第２の種類の放送信号によって放送される前記サイマル放送番組の録画を予約する録画予約ステップと、
前記録画予約された前記サイマル放送番組の録画を実行する録画ステップとを具備することを特徴とする録画制御方法。
【請求項９】
前記番組推薦情報は、複数の視聴者それぞれから送信される、前記第１の種類の放送信号によって放送される放送番組に関する録画予約状況を前記サーバが集計することによって得られる番組ランキング情報であることを特徴とする請求項８記載の録画制御方法。
【請求項１０】
前記第１の種類の放送信号はアナログ放送信号であり、前記第２の種類の放送信号はデジタル放送信号であることを特徴とする請求項８記載の録画制御方法。
【請求項１１】
前記録画予約ステップは、前記決定されたチャンネル情報と前記選択された放送番組の放送時間とに基づいて、前記第２の種類の放送信号によってそれぞれ放送される放送番組に関する電子番組ガイド情報を検索して、前記サイマル放送番組の番組情報を取得するステップと、前記取得された番組情報を用いて、前記サイマル放送番組の録画を予約するステップとを含むことを特徴とする請求項８記載の録画制御方法。
【発明の詳細な説明】
【技術分野】
【０００１】
本発明は放送番組を録画するための録画装置および録画制御方法に関する。
【背景技術】
【０００２】
近年、たとえばアナログ放送信号、デジタル放送信号のような様々な種類の放送信号を受信可能な録画装置が開発されている。
【０００３】
また、最近では、番組ランキングのような番組推薦情報がインターネット上のサーバによって公開されている。各視聴者は、番組ランキングのような番組推薦情報を参考にすることにより、様々な種類の放送信号によって放送されている膨大な数の放送番組の中から目的の放送番組を選択することができる。
【０００４】
例えば、特許文献１には、ユーザそれぞれから送信されるメッセージを集計して放送番組ランキング情報を作成し、その作成した放送番組ランキング情報を提示する番組関心度提示サーバが開示されている。
【特許文献１】特開２００２−２７９０２６号公報
【発明の開示】
【発明が解決しようとする課題】
【０００５】
しかし、通常、番組ランキングのような既存の多くの番組推薦情報は、アナログ放送のような特定の種類の放送信号によって放送されている放送番組を対象に作成されている。このため、既存の番組推薦情報はデジタル放送信号のような他の種類の放送によって放送されている放送番組の録画予約に利用することは困難である。
【０００６】
本発明は上述の事情を考慮してなされたものであり、ある種類の放送信号に対応した番組推薦情報を活用して他の種類の放送信号によって放送されている放送番組の録画予約を実行することが可能な録画装置および録画制御方法を提供することを目的とする。
【課題を解決するための手段】
【０００７】
上述の課題を解決するため、本発明の録画装置は、視聴者に推薦する、第１の種類の放送信号によって放送される放送番組のリストを示す番組推薦情報をネットワークを介して外部のサーバから取得する番組推薦情報取得手段と、前記第１の種類の放送信号のチャンネルそれぞれとこれらチャンネルのサイマル放送を行っている第２の種類の放送信号のチャンネルそれぞれとの関係を示すマッピング情報を記憶するマッピング情報記憶部と、前記番組推薦情報によって示される放送番組のリストの中から録画対象の放送番組が選択された場合、前記マッピング情報を参照して、前記選択された放送番組に対応するサイマル放送番組を放送している前記第２の種類の放送信号のチャンネルを示すチャンネル情報を決定するチャンネル情報決定手段と、前記決定されたチャンネル情報と前記選択された放送番組の放送時間とに基づいて、前記第２の種類の放送信号によって放送される前記サイマル放送番組の録画を予約する録画予約手段と、前記録画予約された前記サイマル放送番組の録画を実行する録画手段とを具備することを特徴とする。
【発明の効果】
【０００８】
本発明によれば、ある種類の放送信号に対応した番組推薦情報を活用して他の種類の放送信号によって放送されている放送番組データの録画予約を実行することが可能となる。
【発明を実施するための最良の形態】
【０００９】
以下、図面を参照して、本発明の実施形態を説明する。  
まず、図１および図２を参照して、本発明の一実施形態に係る録画装置の構成を説明する。本実施形態の録画装置は、情報処理装置として機能するノートブック型の携帯型パーソナルコンピュータ１０から実現されている。
【００１０】
このパーソナルコンピュータ１０は、第１の種類の放送信号によって放送されるＴＶ放送番組データの視聴および録画と、第１の種類の放送信号のサイマル放送を行っている第２の種類の放送信号によって放送されるＴＶ放送番組データの視聴および録画を実行するためのＴＶ機能を有している。このＴＶ機能は、例えば、パーソナルコンピュータ１０に予めインストールされているＴＶアプリケーションプログラムによって実現されている。以下では、第１の種類の放送信号が地上アナログ放送信号のようなアナログ放送信号であり、第２の種類の放送信号が地上デジタル放送信号のようなデジタル放送信号である場合を想定する。
【００１１】
図１はパーソナルコンピュータ１０のディスプレイユニットを開いた状態における斜視図である。本コンピュータ１０は、コンピュータ本体１１と、ディスプレイユニット１２とから構成されている。
【００１２】
ディスプレイユニット１２には、ＴＦＴ−ＬＣＤ（Thin Film Transistor Liquid Crystal Display）１７から構成される表示装置が組み込まれている。ディスプレイユニット１２は、コンピュータ本体１１に対して開放位置と閉塞位置との間を回動自在に取り付けられている。
【００１３】
コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１４】
また、コンピュータ本体１１の正面には、本コンピュータ１０のＡＶ機能を制御する外部のリモコンユニットとの通信を実行するためのリモコンユニットインタフェース部２０が設けられている。リモコンユニットインタフェース部２０は、赤外線信号受信部などから構成されている。
【００１５】
次に、図２を参照して、本コンピュータ１０のシステム構成について説明する。
【００１６】
本コンピュータ１０は、図２に示されているように、ＣＰＵ１１１、ノースブリッジ１１２、メインメモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、アナログＴＶチューナ１２３Ａ、デジタルＴＶチューナ１２３Ｂ、エンベデッドコントローラ／キーボードコントローラＩＣ（ＥＣ／ＫＢＣ）１２４、およびネットワークコントローラ１２５等を備えている。
【００１７】
ＣＰＵ１１１は本コンピュータ１０の動作を制御するために設けられたプロセッサであり、ハードディスクドライブ（ＨＤＤ）１２１からメインメモリ１１３にロードされる、オペレーティングシステム、およびＴＶアプリケーションプログラム１０１のような各種アプリケーションプログラムを実行する。ＴＶアプリケーションプログラム１０１は放送番組データの再生および録画を制御するプログラムであり、アナログＴＶチューナ１２３Ａを制御して地上アナログ放送信号によって放送されるＴＶ放送番組（アナログ放送番組）の再生および録画を制御する処理、およびデジタルＴＶチューナ１２３Ｂを制御して地上デジタル放送信号によって放送されるＴＶ放送番組（デジタル放送番組）の再生および録画を制御する処理等を実行する。また、ＴＶアプリケーションプログラム１０１は、ユーザによる録画予約操作を支援するための機能として、「おすすめサービス」機能を有している。
【００１８】
この「おすすめサービス」機能は、視聴者に推薦するアナログ放送番組のリストを示す番組推薦情報をユーザに提示することによって、ユーザによる録画予約操作を支援する機能である。アナログ放送番組用の番組推薦情報は、例えば、インターネット上のサーバ（サーバコンピュータ）によって管理されている。番組推薦情報としては、全国の視聴者それぞれの録画装置からそれぞれから送信される、アナログ放送番組に関する録画予約状況をサーバが集計することによって得られる番組ランキング情報が用いられる。録画予約状況を示すデータは、各視聴者の録画装置から自動的にサーバに送信される。また、注目のドラマや注目の映画のような特定の幾つかの放送番組を示すリストを番組推薦情報として用いることもできる。
【００１９】
また、ドラマ、映画、バラエティーのような番組種類別それぞれに対応する複数の番組ランキング情報をサーバによって管理し、ユーザの希望する番組種類に対応する番組ランキング情報をユーザに提示してもよい。また、視聴者からの人気投票の結果等に基づいて番組ランキング情報を作成しても良い。
【００２０】
本実施形態においては、アナログ放送番組に関する、番組ランキング情報のような番組推薦情報は、アナログ放送番組の録画予約のみならず、デジタル放送番組の録画予約に利用することもできる。すなわち、アナログ放送番組用の番組ランキング情報によって示される番組リストの中からユーザが録画対象のアナログ放送番組を選択すると、ＴＶアプリケーションプログラム１０１は、選択されたアナログ放送番組のチャンネル情報を番組ランキング情報から取得する。そして、ＴＶアプリケーションプログラム１０１は、選択されたアナログ放送番組のチャンネル情報を、当該選択されたアナログ放送番組のサイマル放送を行っているデジタル放送のチャンネルを示すチャンネル情報に自動的に変換する。そして、ＴＶアプリケーションプログラム１０１は、変換によって得られたデジタル放送信号のチャンネル情報と選択されたアナログ放送番組の放送時間（放送日時）とを用いて、デジタル放送信号によって放送されている、選択されたアナログ放送番組に対応するサイマル放送番組の録画を予約する。
【００２１】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２２】
ノースブリッジ１１２はＣＰＵ１１１のローカルバスとサウスブリッジ１１９との間を接続するブリッジデバイスである。ノースブリッジ１１２には、メインメモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２３】
グラフィクスコントローラ１１４は本コンピュータ１０のディスプレイモニタとして使用されるＬＣＤ１７を制御する表示コントローラである。このグラフィクスコントローラ１１４はＯＳまたはＴＶアプリケーションプログラム１０１によってビデオメモリ（ＶＲＡＭ）１１４Ａに書き込まれた画像データをＬＣＤ１７に表示する。サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。
【００２４】
ＨＤＤ１２１は、各種ソフトウェア及びデータを格納する記憶装置である。光ディスクドライブ（ＯＤＤ）１２３は、ＤＶＤタイトルのようなビデオコンテンツが格納されたＤＶＤ、音楽データが格納されたＣＤなどの記憶メディアを駆動するためのドライブユニットである。
【００２５】
アナログＴＶチューナ１２３Ａは、地上アナログ放送信号の受信および選局を行うためのチューナ部である。また、デジタルＴＶチューナ１２３Ｂは、地上デジタル放送信号の受信および選局を行うためのチューナ部である。
【００２６】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。タッチパッド１６はマウスとして機能するポインティングデバイスである。このＥＣ／ＫＢＣ１２４は、ユーザによるパワーボタン１４の操作に応じて本コンピュータ１０をパワーオン／パワーオフする機能を有している。本コンピュータ１０の各コンポーネントに供給される動作電源は、本コンピュータ１０に内蔵されたバッテリ１２６、またはＡＣアダプタ１２７を介して外部から供給される外部電源から生成される。また、ＥＣ／ＫＢＣ１２４はリモコンユニットインタフェース部２０にも接続されている。
【００２７】
ＴＶアプリケーションプログラム１０１の制御は、キーボード（ＫＢ）１３、タッチパッド（マウス）１６のような入力装置の操作のみならず、外部のリモコンユニットの操作によっても実行することができる。
【００２８】
ネットワークコントローラ１２５は、例えばインターネットなどの外部ネットワークとの通信を実行する通信装置である。
【００２９】
次に、図３を参照して、ＴＶアプリケーションプログラム１０１の機能構成を説明する。
【００３０】
ＴＶアプリケーションプログラム１０１は、上述の「おすすめサービス」機能を実現するために、番組ランキング情報取得部２０１、番組選択部２０２、チャンネル情報変換部２０３、録画予約部２０４、および録画処理部２０５を備えている。
【００３１】
番組ランキング情報取得部２０１は、ネットワークコントローラ１２５を介してインターネット上のサーバをアクセスして、上述の番組ランキング情報のような番組推薦情報をインターネットを介してサーバから取得する。番組ランキング情報は、図４に示すように、ランキングされた複数のアナログ放送番組それぞれに対応する複数のエントリを有している。各エントリは、ランキング順位フィールド、番組タイトル名フィールド、チャンネル番号（ＣＨ）フィールド、放送時間帯（放送日時）フィールド、等から構成されている。また、チャンネル番号（ＣＨ）フィールドには、チャンネル番号のみならず、当該チャンネルを放送している放送局の存在する地域を示す地域コードが付加されていてもよい。
【００３２】
番組選択部２０２は、取得した番組ランキング情報によって示されるアナログ放送番組のリストをＬＣＤ１７に表示して、アナログ放送番組のリストの中から録画予約対象のアナログ放送番組をユーザに選択させる。
【００３３】
チャンネル情報変換部２０３は、ユーザによって選択された放送番組に対応するサイマル放送を放送しているデジタル放送信号のチャンネルを示すチャンネル情報を決定する。サイマル放送は、同一の放送番組を異なる種類の２以上の放送信号によって同時に放送するサービスである。アナログ放送番組のリストの中からユーザによって選択されたアナログ放送番組と同一のデジタル放送番組は、地上デジタル放送のあるチャンネルを用いて、選択されたアナログ放送番組と同一の時間に放送されている。
【００３４】
チャンネル情報変換部２０３は、マップ情報３０１を参照して、ユーザによって選択されたアナログ放送番組を放送する地上アナログ放送のチャンネルを示すチャンネル情報を、選択されたアナログ放送番組のサイマル放送番組（選択されたアナログ放送番組と同一の番組）を放送しているデジタル放送のチャンネルを示すチャンネル情報に変換する。マップ情報３０１は、図５に示すように、アナログ放送信号のチャンネルそれぞれに関するチャンネル情報（チャンネル番号、地域コード）とこれらチャンネルそれぞれのサイマル放送を行っているデジタル放送のチャンネルそれぞれに関するチャンネル情報（ネットワークＩＤ、サービスＩＤ）との関係を示す。このマップ情報３０１は、ＴＶアプリケーションプログラム１０１の一部としてＨＤＤ１２１に予め格納されている。
【００３５】
ネットワークＩＤは、デジタル放送事業者それぞれにユニークに割り当てられた識別コードである。各デジタル放送事業者は３チャンネル分の放送サービスを行うことができる。これら３チャンネル分の放送サービスそれぞれには互いに異なるサービスＩＤが割り当てられている。したがって、デジタル放送の各チャンネルは、ネットワークＩＤとサービスＩＤとの組み合わせによって特定される。
【００３６】
録画予約部２０４は、チャンネル情報変換部２０３によって決定されたデジタル放送信号のチャンネル情報と選択されたアナログ放送番組の放送時間（放送日時）とに基づいて、デジタル放送によって放送される、選択されたアナログ放送番組に対応するサイマル放送番組の録画を予約する。録画予約されたサイマル放送番組に対応するチャンネル情報および放送時間は、予約情報３０２としてコンピュータ１０内に保存される。
【００３７】
録画処理部２０５は、予約情報３０２に基づきデジタルＴＶチューナ１２３Ｂを制御することによって、サイマル放送番組の録画を実行する。デジタルＴＶチューナ１２３Ｂによって受信されるサイマル放送番組の番組データはＨＤＤ１２１に格納される。
【００３８】
次に、図６を参照して、アナログ放送番組の番組ランキング情報を活用してデジタル放送番組を録画予約するための処理の流れを説明する。
【００３９】
アナログ放送番組用の番組ランキング情報によって示される番組リストの中から録画対象のアナログ放送番組がユーザによって選択されると、ＴＶアプリケーションプログラム１０１は、選択されたアナログ放送番組に対応するチャンネル番号および地域コードをインデックスとしてマップ情報３０１を検索し、これにより、選択されたアナログ放送番組のチャンネルのサイマル放送を行っているデジタル放送のチャンネルを示すチャンネル情報（ネットワークＩＤ、サービスＩＤ）を予測する。番組ランキング情報から地域コードが取得できなかった場合には、本コンピュータ１０のＴＶアプリケーションプログラム１０１に予め設定された地域コードが取得され、その取得された地域コードが、選択されたアナログ放送番組に対応するチャンネルを放送している放送局の地域コードとして用いられる。ＴＶアプリケーションプログラム１０１に予め設定された地域コードは、本コンピュータ１０が使用される地域、つまりＴＶアプリケーションプログラム１０１を用いて放送受信を行う地域を示している。
【００４０】
ＴＶアプリケーションプログラム１０１は、予測されたデジタル放送のチャンネル情報と、選択されたアナログ放送番組の放送時間（放送日時）とに基づいて、デジタル放送によって放送される、選択されたアナログ放送番組に対応するサイマル放送番組の録画を予約する。この場合、ＴＶアプリケーションプログラム１０１は、予測されたデジタル放送のチャンネル情報と、選択されたアナログ放送番組の放送時間（放送日時）とに基づいて、デジタル放送によって放送される放送番組それぞれに関する電子番組ガイド情報（ＥＰＧ）を検索し、これによってデジタル放送によって放送されるサイマル放送番組の番組情報（番組タイトル名、ネットワークＩＤ、サービスＩＤ、放送時間等）をＥＰＧから取得する。そして、ＴＶアプリケーションプログラム１０１は、取得した番組情報を用いて、デジタル放送によって放送されるサイマル放送番組の録画を予約する。
【００４１】
図７は、上述のマップ情報３０１の例が示されている。
【００４２】
地上アナログ放送においては、同一の放送事業者に対して地域ごとに異なるチャンネル番号が割り当てられている。したがって、地域の異なる幾つかの地上アナログ放送のチャンネル番号は、当該チャンネル番号で放送されている番組と同一の番組を放送している、地上デジタル放送の一つのチャンネルに対応する。地上デジタル放送の各チャンネルはネットワークＩＤとサービスＩＤとの組み合わせによって規定される。
【００４３】
次に、図８乃至図１３を参照して、アナログ放送番組の番組ランキング情報を活用してデジタル放送番組を録画予約するための一連の処理について説明する。
【００４４】
ここでは、ユーザがリモコンユニットを用いて録画予約操作を行う場合を想定する。
【００４５】
図８の（Ａ）に示すように、リモコンユニットには、方向ボタン４０１、ホームボタン４０２、番組ナビボタン４０３などが配置されている。ホームボタン４０２がユーザによって押されると、ＴＶアプリケーションプログラム１０１が起動し、図８の（Ｂ）に示すようなホーム画面がＬＣＤ１７に表示される。ユーザが方向ボタン４０１を操作してホーム画面上の「番組ナビ」アイコンを選択し、さらに方向ボタン４０１内の「決定」ボタンを押すと、ＴＶアプリケーションプログラム１０１は、図９の（Ｂ）に示すようなメニューを表示する。
【００４６】
ユーザが方向ボタン４０１を操作してメニュー内の「おすすめサービスメニュー」を選択し、さらに方向ボタン４０１内の「決定」ボタンを押すと、ＴＶアプリケーションプログラム１０１は、図１０の（Ｂ）に示すような「おすすめサービス」選択画面を表示する。提供可能なおすすめサービスは、番組推薦情報の種類等に応じて何種類か存在する。ユーザは、「おすすめサービス」選択画面上で希望するサービスを選択することができる。
【００４７】
ＴＶアプリケーションプログラム１０１は、ユーザによって選択されたサービスに対応する、図１１の（Ｂ）のような番組推薦情報（番組ランキング情報）をサーバから取得して、ＬＣＤ１７に表示する。
【００４８】
ユーザが方向ボタン４０１を操作して番組ランキング情報の番組リストの中から放送番組を選択し、さらに方向ボタン４０１内の「決定」ボタンを押すと、ＴＶアプリケーションプログラム１０１は、図１２に示すような放送種類選択画面を表示する。この放送種類選択画面には、地上アナログ放送の録画予約を行うことを指示する「地上Ａで登録」ボタンと、地上デジタル放送の録画予約を行うことを指示する「地上Ｄで登録」ボタンとが配置されている。「地上Ａで登録」ボタンは、地上アナログ放送信号によって放送される、選択されたアナログ放送番組を録画予約するための第１モードを指定するボタンであり、「地上Ｄで登録」ボタンは、地上デジタル放送信号によって放送される、選択されたアナログ放送番組のサイマル放送番組を録画予約するための第２モードを指定するボタンである。
【００４９】
ユーザが、図１２の（Ｂ）に示されているように、方向ボタン４０１を操作して「地上Ａで登録」ボタンを選択し、さらに方向ボタン４０１内の「決定」ボタンを押すと、ＴＶアプリケーションプログラム１０１は、番組リストの中から選択されたアナログ放送番組のチャンネル情報を用いて、地上アナログ放送の録画予約を行う。
【００５０】
一方、ユーザが、図１２の（Ａ）に示されているように、方向ボタン４０１を操作して「地上Ｄで登録」ボタンを選択し、さらに方向ボタン４０１内の「決定」ボタンを押すと、ＴＶアプリケーションプログラム１０１は、デジタル放送によって放送されている、選択されたアナログ放送番組に対応するサイマル放送番組のチャンネル情報を決定すると共に、デジタル放送のＥＰＧを検索してサイマル放送番組の番組情報をＥＰＧから取得する。
【００５１】
サイマル放送番組の番組情報が取得できた場合、ＴＶアプリケーションプログラム１０１は、図１３に示すような予約受付画面を表示する。ユーザが方向ボタン４０１を操作して予約受付画面上の「登録」ボタンを選択し、さらに方向ボタン４０１内の「決定」ボタンを押すと、ＴＶアプリケーションプログラム１０１は、サイマル放送番組の録画予約を行う。
【００５２】
次に、図１４のフローチャートを参照して、デジタル放送番組を録画予約するための録画予約処理の手順を説明する。
【００５３】
ＣＰＵ１１１は、ＴＶアプリケーションプログラム１０１を実行することにより、以下の処理を行う。
【００５４】
すなわち、ＣＰＵ１１１は、まず、サーバから取得した番組推薦情報（番組ランキング情報）をＬＣＤ１７の画面上に表示する（ステップＳ１０１）。次いで、番組ランキング情報によって示されるアナログ放送番組のリストの中から録画対象のアナログ放送番組がユーザによって選択されると（ステップＳ１０２）、ＣＰＵ１１１は、選択されたアナログ放送番組の番組データ（番組タイトル名、チャンネル番号、および放送時間）を番組ランキング情報から取得し（ステップＳ１０３）、そしてＴＶアプリケーションプログラム１０１の設定値などから、選択されたアナログ放送番組を放送するチャンネルに対応する地域コードを取得する（ステップＳ１０４）。
【００５５】
この後、ＣＰＵ１１１は、選択されたアナログ放送番組のチャンネル情報（チャンネル番号、地域コード）に対応するデジタル放送のチャンネル情報（ネットワークＩＤ、サービスＩＤ）を取得するために、マップ情報３０１を検索する（ステップＳ１０５）。デジタル放送のチャンネル情報がマップ情報３０１から取得できたならば（ステップＳ１０６のＹＥＳ）、ＣＰＵ１１１は、取得されたチャンネル情報と選択されたアナログ放送番組の放送時間とに基づいてデジタル放送のＥＰＧを検索して、選択されたアナログ放送番組に対応するサイマル放送番組の番組情報を取得する（ステップＳ１０７）。サイマル放送番組の番組情報（ＥＰＧデータ）が取得できたならば（ステップＳ１０８のＹＥＳ）、ＣＰＵ１１１は、図１３で説明した予約受付画面を表示する（ステップＳ１０９）。
【００５６】
予約受付画面上の「登録」ボタンがユーザによって押されると（ステップＳ１１０のＹＥＳ）、ＣＰＵ１１１は、サイマル放送番組の番組情報を用いて、サイマル放送番組の録画の予約を行う（ステップＳ１１１）。
【００５７】
なお、デジタル放送用のＥＰＧからサイマル放送番組の番組情報を取得せずとも、デジタル放送のチャンネル情報と選択されたアナログ放送番組の放送時間とに基づいて、地上デジタル放送信号によって放送されているサイマル放送番組の録画予約を行うことができる。しかし、デジタル放送用のＥＰＧを検索することにより、地上デジタル放送信号によって放送されているサイマル放送番組に関する詳細な番組情報を示す予約受付画面をユーザに提示することが可能となる。これにより、ユーザは、録画予約対象の番組が、選択したアナログ放送番組に対応する正しいサイマル放送番組であるかどうかを予約受付画面を見ることによって容易に確認することができる。
【００５８】
次に、図１５のフローチャートを参照して、ユーザによって「地上Ｄで登録」が選択された場合に実行される処理と、ユーザによって「地上Ａで登録」が選択された場合に実行される処理の違いについて説明する。
【００５９】
ＣＰＵ１１１は、ユーザが「地上Ａで登録」および「地上Ｄで登録」のどちらを選択したかを判別する（ステップＳ２０１）。ユーザによって「地上Ａで登録」が選択されたならば、ＣＰＵ１１１は、マップ情報３０１を用いたチャンネル情報変換処理は実行せず、番組リストの中から選択されたアナログ放送番組のチャンネル情報を用いて、地上アナログ放送の録画予約を行う（ステップＳ２０２）。
【００６０】
一方、ユーザによって「地上Ｄで登録」が選択されたならば、ＣＰＵ１１１は、まず、マップ情報３０１を用いたチャンネル情報変換処理を実行して、番組リストの中から選択されたアナログ放送番組のサイマル放送を行っているデジタル放送のチャンネル情報を取得する（ステップＳ２０３）。そして、ＣＰＵ１１１は、デジタル放送のチャンネル情報と選択されたアナログ放送番組の放送時間とを用いて、デジタル放送用のＥＰＧを検索し（ステップＳ２０４）、そして、その検索によって得られたサイマル放送番組の番組情報を用いて地上デジタル放送の録画予約を行う（ステップＳ２０５）。
【００６１】
以上のように、本実施形態によれば、地上アナログ放送用の番組推薦情報によって示される放送番組のリストの中から選択されたアナログ放送番組のサイマル放送を行っているデジタル放送のチャンネルを示すチャンネル情報が自動的に取得されるので、地上アナログ放送用の番組推薦情報を活用して地上デジタル放送によって放送されている放送番組の録画予約を実行することが可能となる。
【００６２】
例えば日本においては、地上デジタル放送は開始されてまもない新たな放送サービスであるので、地上デジタル放送を録画可能な装置を所有している視聴者の数は、地上アナログ放送を録画可能な装置を所有している視聴者の数に比して大幅に少ない。このため、現状では、地上デジタル放送用の番組推薦情報を構築する仕組みは実現されていない。よって、地上アナログ放送用の番組推薦情報を地上デジタル放送によって放送されている放送番組の録画予約に活用することは、地上デジタル放送を録画可能な装置を所有している視聴者にとって極めて有効となる。
【００６３】
また、ユーザは第１モード「地上Ａで登録」と第２モード「地上Ｄで登録」を選択することができるので、アナログ放送番組用の番組推薦情報を地上アナログ放送の録画予約と地上デジタル放送の録画予約の双方に利用することができる。
【００６４】
なお、例えば、地上デジタル放送によってサービスされているワンセグメント放送用の番組推薦情報を活用して、地上デジタル放送によって放送されている放送番組の録画予約を実行することも可能である。
【００６５】
また、もし、地上デジタル放送のサイマル放送を行う他の新たな方式のデジタル放送サービスが開始されたならば、地上デジタル放送用の番組推薦情報を活用して、その地上デジタル放送のサイマル放送を行っている他の方式のデジタル放送によって放送されている放送番組の録画予約を実行することもできる。
【００６６】
また、本実施形態の録画予約処理の手順は全てソフトウェアによって実現することができるので、このソフトウェアをコンピュータ読み取り可能な記憶媒体を通じて通常のコンピュータに導入することにより、本実施形態と同様の効果を容易に実現することができる。
【００６７】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６８】
【図１】本発明の一実施形態に係る録画装置の概観の例を示す斜視図。
【図２】図１の録画装置のシステム構成の例を示すブロック図。
【図３】図１の録画装置によって実行されるＴＶアプリケーションプログラムの機能構成の例を示すブロック図。
【図４】図１の録画装置において用いられる番組ランキング情報の例を示す図。
【図５】図１の録画装置において用いられるマップ情報の例を示す図。
【図６】図１の録画装置によって実行される録画予約処理の流れを模式的に示す図。
【図７】図１の録画装置において用いられるマップ情報の構成例を示す図。
【図８】図１の録画装置によって表示される第１操作画面の例を示す図。
【図９】図１の録画装置によって表示される第２操作画面の例を示す図。
【図１０】図１の録画装置によって表示される第３操作画面の例を示す図。
【図１１】図１の録画装置によって表示される第４操作画面の例を示す図。
【図１２】図１の録画装置によって表示される第５操作画面の例を示す図。
【図１３】図１の録画装置によって表示される第６操作画面の例を示す図。
【図１４】図１の録画装置によって実行される、デジタル放送番組を録画予約するための録画予約処理の手順を説明するためのフローチャート。
【図１５】図１の録画装置によって実行される、アナログ放送番組を録画予約する処理の手順とデジタル放送番組を録画予約する処理の手順を説明するフローチャート。
【符号の説明】
【００６９】
１０…録画装置（コンピュータ）、１０１…ＴＶアプリケーションプログラム、１１１…ＣＰＵ、１２３Ａ，１２３Ｂ…ＴＶチューナ、２０１…番組ランキング情報取得部、２０２…番組選択部、２０３…チャンネル情報変換部、２０４…録画予約部、２０５‥録画処理部。
【図１】
2008035237.tif 000003
【図２】
2008035237.tif 000004
【図３】
2008035237.tif 000005
【図４】
2008035237.tif 000006
【図５】
2008035237.tif 000007
【図６】
2008035237.tif 000008
【図７】
2008035237.tif 000009
【図８】
2008035237.tif 000010
【図９】
2008035237.tif 000011
【図１０】
2008035237.tif 000012
【図１１】
2008035237.tif 000013
【図１２】
2008035237.tif 000014
【図１３】
2008035237.tif 000015
【図１４】
2008035237.tif 000016
【図１５】
2008035237.tif 000017